(57)【要約】【課題】  本発明は、位置ずれによる左右の微調整や高さの有効高の改善を計り、且つサイズの異なるパイプの取り付けを兼用可能にするものである。【解決手段】  一対のボルト２０が床取り付け用基板１０の両端付近にナット２１でそれぞれ結合されている。そして一対づつのナット３０は、上記の一対のボルト２０の中途に仮止めされている。又、支え受材４０がありこれは上記の一対のボルト２０に挿入されている。次にパイプを固定する押え材５０も同様に一対のボルト２０に挿入されているものであり最後に一対づつのナット３０で固定するものである。本発明は、位置寸法のずれがあっても、レベルバンドを取り替えたり外したりせず簡単に配管の位置や勾配の調整が可能になる。又、１００ｍｍから２５ｍｍまでの兼用型なので調達が非常に便利になり、工事現場での取り付け作業及び倉庫での保管管理も簡単になる。【選択図】図１
2017215033.tif 000002
【特許請求の範囲】
【請求項１】
床に固定される取付用基板と、この取付用基板に一定間隔を有して立設された一対のボルトと、一対のボルトのそれぞれにねじ込まれた一対の下部ナットと、一対の下部ナットに支持仮置きされてその平坦な上面にパイプが載置される支え受材と、支え受材の上面に載置されたパイプを上から押えて、支え受材上面に固定する押え材とそれを固定する一対の上部ナットを備えたことを特徴とするパイプ支持用レベルバンドである。
【請求項２】
請求項１に記載のパイプ支持用レベルバンドにおいて、前記押え材はパイプの外径に対応して変形可能な素材で構成されていることを特徴とするパイプ支持用レバルバンドである。
【請求項３】
請求項２に記載のパイプ支持用レバルバンドにおいて前記押え材は、薄い金属の帯板であって、その長手方向に沿って複数のボルト通し孔が形成されているとともに、前記一対のボルトのそれぞれにねじ込まれる一対のナットにより前記支え材の上面に前記パイプを固定することを特徴とするパイプ支持用レベルバンドである。
【発明の詳細な説明】
【技術分野】
【０００１】  本発明は、広く構造物に設置するパイプを止めるバンドに関するものであって、特に上水道や下水道のパイプを建造物の床に固定させる支持用レベルバンドに関するものである。
【背景技術】
【０００２】  従来より水道管や排水管を建物の床に固定する時に床バンドやレベルバンドが使用されている。しかし従来のレベルバンドのバンドはパイプを上下一対の湾曲したバンドで挟みその両端の穴を基板に起立したボルトに通し最後にナットで締着させる構造であった。しかし、この構造ではパイプバンドの下部が湾曲している為その分高さの可動範囲が低くなり、使用勝手に不便を生じた。又、湾曲している為、載置したパイプの左右の可動が固定されてしまい、現場でのレベルバンドの取り付けに際して障害物や芯ずれに対応出来なかった。
加えて現場の個々によっては配管管径が異なるため管径各のレベルバンドを調達しなければならなかった。
【発明の概要】
【発明が解決しようとする課題】
【０００３】  狭くて雑多な建築現場においてレベルバンドの据え付けを行う場合、障害物や寸法割出の誤差が生じた時やり直すのは非能率であり、その上レベルバンドを調達するには、パイプサイズが配管現場では各サイズがあり準備調達するのに難があつた。
【課題を解決するための手段】
【０００４】  請求項１に記載の発明は、床に固定される取付用基板と、この取付用基板に一定間隔を有して立設された一対のボルトと一対のボルトのそれぞれにねじ込まれた一対の下部ナットと一対の下部ナットに支持仮置きされてその平坦な上面にパイプが載置される支え受材と支え受材の上面に載置されたパイプを上から押さえて支え受材上面に固定する押え材と、それを固定する一対の上部ナットとを備えたことを特徴とするパイプ支持用レベルバンドである。【０００５】  請求項２に記載の発明は、前記に記載のパイプ支持用レベルバンドにおいて、前記押え材はパイプの外径に応じて変形可能な素材で構成されていることを特徴とするパイプ支持用レベルバンドである。【０００６】  請求項３に記載の発明は、前記に記載のパイプ支持用レベルバンドにおいて前記押え材は、薄い金属の帯板であって、その長手方向に沿って複数のボルト通し孔が形成されているとともに、前記一対のボルトのそれぞれにねじ込まれる一対のナットにより前記支え材の上面に前記パイプを固定することを特徴とするパイプ支持用レベルバンドである。
【発明の効果】
【０００７】  本発明にかかるパイプ支持用レベルバンドは以上のごとくになした故に以下のごとき多大な効果が生じた。すなわち、それらのボルトにパイプ支えの支え受材とパイプ押え用の押え材があらかじめそれらのナットで軽く仮締めされてあり一本化されているため部材の組み立てがなく、最後にパイプ押え用の押え材を止めるナットを締め付けのみでよいゆえ大変効率的に作業ができるものとなった。【０００８】  パイプを載置するパイプ支え部を湾曲型から上面が平坦な支え受材に変えた事で載置したパイプの左右の可動が出来て芯ずれに対応できるものになった。
同時に従来のレベルバンドに比べて有効高が高くなった。
又、パイプの押さえ用としてパイプの外径に応じて変形可能な素材の押え材を使用したことで、１００ｍｍから２５ｍｍまでの兼用レベルバンドとすることができた。【０００９】  従来の製作工程と比べて床用取り付け基板孔の削孔と押え材の切断のみとした簡単な製作となった。さらに兼用型としたことで支持用レベルバンドの調達が便利になり又、保管も種別がなくなり保管スペースが改善された。
【図面の簡単な説明】
【００１０】
【図１】  レベルバンドに１００ｍｍのパイプを中央に締め付けた状態の立面図
【図２】  パイプ支え受材の平面図
【図３】  パイプ押さえ用の押え材の平面図
【図４】  レベルバンド基板の平面図
【図５】  ５０ｍｍパイプを締め付けた際ズレが発生した状態の立面図
【図６】  一般的なレベルバンド１００ｍｍの立面図
【発明を実施するための形態】
【００１１】  以下に本説明にかかわるレバルバンドの一般的な実施の形態を述べる。
これは、まず一対のボルトのそれぞれの下端が床取付け用の基板の両端付近に一対のボルトで結合されていて、又それぞれ別の一対づつのナットが上記ボルトの中間に仮止めされている。そして上記一対づつのナットは、支え受材と対をなすパイプ押え用の押え材とでパイプを挟みこみ固定するものである。
【００１２】  しかして上記のパイプ押え用押え材は薄く簡単に曲げ整形し切断が容易であり、パイプ支え受材に載置されたパイプの形状に沿って素手にて整形加工しその端をボルトに挿入しナットで締め付ける。上記押え材は各種パイプサイズに合わせて多数の孔を開けているので、どのサイズでもボルトに挿入できる。
１００ｍｍ以下の小さいパイプでは、押え材の片方がパイプの支え受材よりはみだすが、その部分は簡単に切除できる素材とした。
その為に押え材の長手方向の両端に切欠きを入れた形状とした。
【実施例】
【００１３】  本発明にかかるパイプ支持用レベルバンドは以上の技術的な問題点に鑑みて、
▲１▼それらのボルトにパイプ支えのための支え受材とパイプ押え用の押え材は基板と共にあらかじめそれらのボルトにナットで軽く仮締めされてあり
▲２▼それらのパイプ支持用レベルバンドの設置現場では片方のボルトに仮締めされた上記ナットとパイプ押え用の押え材を一旦外し、パイプを載置した後、前記押え材をパイプに沿って整形加工した後に
▲３▼パイプ押え用の押え材のパイプサイズに適応した孔を前記ボルトに挿入し
▲４▼その後前記ナットで締め付け、最後に残った押え材の余分は切除する
構成のものとした。【００１４】  以下に本説明にかかるパイプ支持用レベルバンドをその具体的な実地例を用いて添付図面と共に詳細に述べる。これは本説明にかかるパイプ支持用レベルバンドに１００ｍｍのパイプを締め付けた状態の正面図（図１）とパイプ支え材の分解平面図（図２）とパイプ押え用の押え材の分解平面図（図３）に示すごとく、まず  床取り付け用基板１０がある。この床取り付け用基板１０の最両端には、この床取り付け基板１０を床に取り付けるための孔６０がある。
つぎに一対のボルト２０がある。この一対のボルト２０は、上記の床取り付け用基板１０の両端付近にそれぞれ一対のナット２１で結合したものである。【００１５】  そして、それぞれ一対づつのナット３０がある。これら一対づつのナット３０は上記一対のボルト２０の中途付近に仮止めされたものである。
次にパイプ支え用のための支え受材４０があり、パイプ押さえ用のための押え材５０がある。この上記二つを上記の一対づつのナット３０の間に挿入するものである。【００１６】  そして上述したごとく上記のパイプ押さえ用の為の押え材５０は、一対のナット３０の片側のナット３０の上部ナットと押え材の片方を一旦外しパイプを載置してパイプに沿って形をつくって整形後にボルト２０に再挿入し、先に外した上部ナット３０を締め付けて固定する。【００１７】  最後に本発明にかかるレベルバンドのパイプサイズが１００ｍｍ以下のパイプを支え受材に載置したレベルバンドのその具体的な実施例を用いて添付の図面（図７）と共に詳細に述べる。これは本発明にかかるパイプ支持バンドをパイプサイズ５０ｍｍを締め付けた状態の図面である。
作業の工程は上記に示した作業と全く同じであるがパイプサイズが、５０ｍｍの時の押え材５０でパイプを押さえ締め付けると、押え材５０の余剰が出来るがナット３０で締め付けた後に切除する工程を要するが簡単に切除できる部材である。
次にレベルバンドの芯出しをして床取り付け用基板１０を床に取り付けて、その後誤差が生じた場合、又は障害物で芯ズレが生じた場合において、パイプ支え用のための支え受材は平坦であるため載置したパイプは左右に可動可能であり、そのためパイプ押さえの押え材５０は、図面（図７）の如く変形した形の固定となりナット３０で締め付けた後に切除する構成とした。
【符号の説明】
【００１８】１０    床用取り付け基板
２０    ボルト
２１    固定ナット
３０    高さ調整ナット
４０    支え受材
５０    押え材
６０    基板取り付け孔
５０ａ  パイプ１００ｍｍ用ボルト取り付け穴
５０ｂ  パイプ  ７５ｍｍ用ボルト取り付け穴
５０ｃ  パイプ  ６５ｍｍ用ボルト取り付け穴
５０ｄ  パイプ  ５０ｍｍ用ボルト取り付け穴
５０ｅ  パイプ  ４０ｍｍ用ボルト取り付け穴
５０ｆ  パイプ  ３０ｍｍ用ボルト取り付け穴
５０ｇ  パイプ  ２５ｍｍ用ボルト取り付け穴
【図１】
2017215033.tif 000003
【図２】
2017215033.tif 000004
【図３】
2017215033.tif 000005
【図４】
2017215033.tif 000006
【図５】
2017215033.tif 000007
【図６】
2017215033.tif 000008